(57)【特許請求の範囲】
【請求項１】
原稿読取部と、１枚の原稿を表裏を構成する第１面、第２面を反転させて前記原稿読取部に供給する原稿反転部と、この原稿反転部を制御して、前記原稿読取部で複数枚の原稿を第１面、第２面を交互の順序で読み取らせる読取制御部と、読み取った原稿データを格納する画像記憶部とを備える原稿読取装置において、
原稿読み取り中のジャムを検出するジャム検出手段と、
ジャム検出時の読み取りページ数が奇数か偶数かを判別する手段と、
ジャム検出時の読み取りページ数が偶数の場合は（読み取りページ数−１）のページを、奇数の場合は読み取りページ数を再セットすべきページ数として表示する手段とを備え、
偶数ページでのジャム検出時の再セット後は、再セットページを読み飛ばしてジャム検出読み取り面から読み取るようにし、奇数のページでのジャム検出時の再セット後は、再セットページから読み取るようにしたことを特徴とする原稿読取装置。
【発明の詳細な説明】
【０００１】
【発明の属する技術分野】
この発明は、複写機、ファクシミリ装置、複写機能・ファックス機能等の多機能を有する複合機等の原稿読取装置に関する。
【０００２】
【従来の技術】
一般に、複写機、ファクシミリ装置において、原稿を読み取るのに１枚の原稿の表裏両面を読み取り得るものがある。一方、原稿読み取り中にジャムが発生した場合、これを検知し、ジャム発生を報知するものもある。
【０００３】
【発明が解決しようとする課題】
上記した従来の複写機、ファクシミリ装置等の原稿読取装置では、両面原稿を読み取り中、ジャムが検出されると、ジャムが発生した旨の報知がなされる。しかしながら、単にジャム発生のみの報知なので、どの原稿まで読み取りが終了しているのか、あるいは表裏のいずれから再読み取りを開始すれば良いのか、直ちにわからず、再セットして読み取りを再開するのに手間を要するという問題があった。
【０００４】
この発明は上記問題点に着目してなされたものであって、ジャムが発生した場合、原稿の再セットが容易な原稿読取装置を提供することを目的としている。
【０００５】
【課題を解決するための手段】
この発明の原稿読取装置は、原稿読取部と、１枚の原稿を表裏を構成する第１面、第２面を反転させて前記原稿読取部に供給する原稿反転部と、この原稿反転部を制御して、前記原稿読取部で複数枚の原稿を第１面、第２面を交互の順序で読み取らせる読取制御部と、読み取った原稿データを格納する画像記憶部とを備えるものにおいて、原稿読み取り中のジャムを検出するジャム検出手段と、ジャム検出時の読み取りページ数が奇数か偶数かを判別する手段と、ジャム検出時の読み取りページ数が偶数の場合は（読み取りページ数−１）のページを、奇数の場合は読み取りページ数を再セットすべきページ数として表示する手段とを備え、偶数ページでのジャム検出時の再セット後は、再セットページを読み飛ばしてジャム検出読み取り面から読み取るようにし、奇数のページでのジャム検出時の再セット後は、再セットページから読み取るようにしている。
【０００６】
この原稿読取装置では、ジャムが検出されると、再セットすべきページ数を表示するので、オペレータは読み取り再開すべき原稿を直ちに再セットすることができる。
【０００７】
また、この発明の原稿読取装置では、再セット後に、読取を再開する場合に、再セットしたページの原稿の前記所定の面とは異なる他の面（例えば表面）を飛ばし、前記所定の面（例えば裏面）から読み取るようにしているので、再セットは常に前記他の面（表面）からとなし得るので有効である。
【０００８】
また、前記再セットすべきページは、前記所定の面とは異なる他の面（例えば表面）のページ番号とすると、再セット原稿を他の面、例えば表面を上に出来るので、通常のセットができ、有効である。
【０００９】
【発明の実施の形態】
以下、実施の形態により、この発明を更に詳細に説明する。図１に、この発明の一実施形態であるファクシミリ装置の全体の概略構成のブロック図を示す。この実施形態ファクシミリ装置は、ファクシミリ機能とコピー機能とを備えたいわゆる複合機として構成したもので、ＭＰＵ１、ＮＣＵ（網制御回路：Ｎｅｔｗｏｒｋ  Ｃｏｎｔｒｏｌ  Ｕｎｉｔ）２、ＭＯＤＥＭ３、ＲＯＭ４、ＲＡＭ５、画像メモリ（ＤＲＡＭ）６、スキャナ７、操作部８、表示部９、ＣＯＤＥＣ（符号化・復号器：Ｃｏｄｅｒ  ａｎｄ  Ｄｅｃｏｄｅｒ  ）１０、プリンタ画像処理回路１１、ＬＥＤプリントヘッド１２、ページメモリ１３、ＬＡＮＩ／Ｆ１４、プリンタ制御部１５、モータ１６を備える。
【００１０】
ＭＰＵ１は、この装置を構成する各部を制御する機能を有する。ＮＣＵ２は、電話回線網（ＰＳＴＮ）との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１１】
ＲＯＭ４は、この装置を制御するためのプログラムを記憶する。ＲＡＭ５は、データ等を一時的に記憶する。また、読み取りページ数をカウントするためのページカウンタ５ａを配備している。画像メモリ６は、受信画像データやスキャナ７で読み取った画像データを一時的に記憶する。スキャナ７は、ＦＡＸ送信するときに原稿の画像データを読み取る。操作部８は、テンキー、ＦＡＸキー、ＣＯＰＹキー、スタートキー、ワンタッチキー等の操作キースイッチを有する。表示部９は、装置からオペレータへの伝達情報等を表示する。ＣＯＤＥＣ１０は、読み取った画像データを送信するためにＭＨ、ＭＲ、ＭＭＲ方式等により符号化（エンコード）し、受信画像データを復号（デコード）する。プリンタ画像処理回路１１は、ページメモリ１３に格納された印字すべき画像データを読み出し、画像処理を施して、ＬＥＤプリントヘッド１２に印字データＶＤ  、ＣＬＫ信号、ＳＴＲ信号等を供給する。このプリンタ画像処理回路１１では、操作部８からの指示により、ＬＥＤプリントヘッド１２への画像データ、クロック信号等の転送制御を行う。
【００１２】
この実施形態ファクシミリ装置は、スキャナ７において、原稿の片面を読み取る機能と、原稿の両面を読み取る機能を備え、いずれかを予め操作により選択設定できる。また、原稿読み取り中のジャム発生を検知し、かつジャム発生を報知する機能を備えている。
【００１３】
この実施形態ファクシミリ装置において、原稿の表裏の読み取りについて、少し説明する。図２において、原稿収納部３１に原稿が表を上にして積層されている。読み取り開始で上方の原稿３２よりフィードされる。原稿３２が搬送路３３、主ローラ３４に沿って進行し、スキャナ７のラインセンサ７ａと原稿３２の表が対面し、ラインセンサ７ａで原稿読み取りがなされ、読み取られた原稿３２は、搬送トレイ側の停止部３５で停止する。次に、裏面の原稿を読み取る際に、今度は停止部３５から図３に示すように、主ローラ３４を１回転するように搬送する。これにより、原稿３２は表裏が反転し、原稿３２の裏とライセンサ７ａが対面し、原稿３２の裏の原稿が読み取られる。なお、原稿収納部３１に原稿有無検知センサ３６が搬送路３３のラインセンサ７ａ手前に、原稿サイズ検知用のセンサ３７が設けられている。
【００１４】
次に、この発明の実施形態装置の処理動作を図４、図５に示すフロー図を参照して説明する。処理が開始されると、ステップＳＴ１において、原稿がセットされる。次に、ステップＳＴ２へ移行する。ステップＳＴ２においては、スタートキーが押されたか否かを判定する。スタートキーが押されると、ステップＳＴ３へ移行する。ステップＳＴ３においては、ページカウントを０にクリアする。そして、ステップＳＴ４へ移行する。
【００１５】
ステップＳＴ４においては、原稿の読み取りが両面読み取りか否かを判定する。両面読み取りか否かは、機械に予め操作部のボタン操作により設定されている。両面読み取りの場合には、ステップＳＴ５へ移行する。一方、両面読み取りでない場合は、ステップＳＴ６へ移行する。ステップＳＴ５においては、両面ステータスをＯＮにする。そし、ステップＳＴ７へ移行する。ステップＳＴ６においては、両面ステータスをＯＦＦにする。そして、ステップＳＴ７へ移行する。
【００１６】
ステップＳＴ７においては、原稿をフィードし、読み取りを開始する。次に、ステップＳＴ８へ移行する。ステップＳＴ８において、先ず表の１ページ、つまり第１ページの読み取りを開始する。続いて、ステップＳＴ９へ移行する。ステップＳＴ９においては、ページカウントを＋１、つまり１を計数する。そして、ステップＳＴ１０へ移行する。
【００１７】
ステップＳＴ１０においては、ジャムが発生しているか否かを判定する。ジャムが発生していない場合は、ステップＳＴ１１へ移行する。一方、ジャムが発生した場合は、ステップＳＴ１５へ移行する。ステップＳＴ１１においては、１ページの読み取りが終了か否か判定する。読み取り終了の場合は、ステップＳＴ１２へ移行する。一方、読み取り終了でない場合は、ステップＳＴ１０へ戻り、１ページ分の読み取り終了まで、ジャム検知を行う。
【００１８】
ステップＳＴ１２においては、両面読み取りステータスがＯＮか否か判定する。ステップＳＴ５において、両面ステータスがＯＮされていれば、判定ＹＥＳで、ステップＳＴ１３へ移行する。一方、ステップＳＴ６で両面ステータスがＯＦＦされていれば、判定ＮＯでステップＳＴ１４へ移行する。ステップＳＴ１３においては、ページカウントが偶数であるか否か判定する。ページカウントが偶数の場合は、次にステップＳＴ１４へ移行する。一方、ページカウントが偶数でない、つまり奇数の場合は、ステップＳＴ７へ戻り、次頁（偶数ページ）である裏面の読み取りを開始する。ステップＳＴ１４においては、次頁有りか否か判定する。この次頁有りか否かは、原稿有無検知センサ３６の出力によって判定する。次頁有りの場合は、ステップＳＴ７へ戻り、次頁、つまり次の原稿の表面の読み取りを開始する。次頁なしの場合は、ステップＳＴ１２での判定は、両面ステータスＯＦＦ、つまり片面読み取りであるか、ステップＳＴ１３での判定が偶数であるので、次に読み取る原稿がなく、処理を終了する。
【００１９】
ステップＳＴ１５においては、アラームブザーをＯＮする。これにより、オペレータにジャムが発生していることを報知する。次に、ステップＳＴ１６へ移行する。ステップＳＴ１６においては、表示部に“原稿ジャムしました”の表示を行う。次に、ステップＳＴ１７へ移行する。ステップＳＴ１７においては、ジャムが解除されたか否かを判定する。オペレータがアラームにより、あるいは警告表示により、ジャム除去の処理を行うと、判定ＹＥＳとなる。続いて、ステップＳＴ１８へ移行する。
【００２０】
ステップＳＴ１８においては、両面読取ステータスＯＮか否か判定する。両面読取ステータスＯＮの場合は、ステップＳＴ１９へ移行する。一方、両面読取ステータスがＯＮでない場合は、ステップＳＴ２１へ移行する。ステップＳＴ１９においては、ページカウントが偶数か否か判定する。偶数でない場合、つまり奇数の場合は、ステップＳＴ２１へ移行する。一方、偶数の場合に、ステップＳＴ２０へ移行する。
【００２１】
ステップＳＴ２０においては、ページカウント−１のページＮｏを表示する。ここでは、ジャムが発生したのが偶数ページ、つまり裏面を読み取り中であるから、既に読み取り完了のその表面のページを表示する。そして、その表面のページを○○ページであるとすると、更に表示部に“原稿第○○ページを再セットして下さい”の表示を行う。そし、ステップＳＴ２２へ移行する。ステップＳＴ２２において、スタートキーが押されたか否かを判定する。原稿第○○ページは、ジャムが発生したときの表ページであるから、このページを表にして、オペレータが原稿を再セットし、スタートキーを押すと、ステップＳＴ２２の判定がＹＥＳとなり、ステップＳＴ２３へ移行する。
【００２２】
ステップＳＴ２３においては、両面読み取りステータスＯＮか否かを判定する。ステップＳＴ１９、ＳＴ２０の処理を経過してきている場合は、この判定ＹＥＳであり、次にステップＳＴ２４へ移行する。ステップＳＴ２４においては、ページカウントは偶数か否か判定する。ステップＳＴ１９、ＳＴ２０の処理を経過してきている場合、やはりこの判定もＹＥＳであり、ステップＳＴ２５へ移行する。ステップＳＴ２５においては、第○○ページの原稿、つまり表面を読み取らず、フィードのみにして、次にステップＳＴ７へ移行する。そして、以後、第○○ページの次のページ、つまりジャムを発生した裏面より、読み取りを開始する。
【００２３】
ステップＳＴ２１においては、表示部に“ページカウントを表示し、原稿第××ページを再セットして下さい”の表示を行う。そして、ステップＳＴ２２へ移行する。オペレータが表示を見て、ジャムを発生した第××ページ以降の原稿を再セットし、スタートキーを押すと、ステップＳＴ２２の判定ＹＥＳで、ステップＳＴ２３へ移行する。この場合は、片面の読み取り時のジャム発生なので、ステップＳＴ２３、ＳＴ２４の判定がいずれもＮＯであり、ステップＳＴ２５の処理をスキップして、ステップＳＴ７へ戻る。そして、ジャムしたページから原稿読み取りを開始する。
【００２４】
【発明の効果】
この発明によれば、原稿読み取り中に、ジャムを検出した場合に、読み取りページ数が偶数の場合に（読み取りページ数−１）のページを、奇数の場合は読み取りページ数を再セットするべきページとして表示するようにしているので、読み取りを再開すべき原稿を直ちに再セットすることができる。
【００２５】
また、原稿の偶数ページ（裏面）でのジャム検出時の再セット後の読み取りで再セットページ（表）読みを飛ばして、裏から読み取ることにより、効率良く、かつ適正な読み取りを再開できる。
【００２６】
また、ジャム検出時の読み取りページが表裏いずれでも表示する再セットすべきページは、表面のページ番号とすることにより、再セット時も通常の表上のセットとなり、違和感のない再セットを行うことができる。
【図面の簡単な説明】
【図１】この発明の一実施形態であるファクシミリ装置の概略構成を示すブロック図である。
【図２】同実施形態ファクシミリ装置における原稿の表面読み取りを説明する図である。
【図３】同実施形態ファクシミリ装置における原稿の裏面読み取りを説明する図である。
【図４】同実施形態ファクシミリ装置の原稿の読み取り処理動作を説明するフロー図である。
【図５】図４とともに、同実施形態ファクシミリ装置の原稿の読み取り処理動作を説明するフロー図である。
【符号の説明】
１          ＭＰＵ
２          ＮＣＵ
３          ＭＯＤＥＭ
４          ＲＯＭ
５          ＲＡＭ
６          画像メモリ
７          スキャナ
７ａ        ラインセンサ
８          操作部
９          表示部
１０        ＣＯＤＥＣ
１１        プリンタ画像処理回路
１２        ＬＥＤプリントヘッド
１３        ページメモリ
１４        ＬＡＮＩ／Ｆ
１５        プリンタ機構制御部
１６        モータ
【図１】
0003601502.tif 000002
【図２】
0003601502.tif 000003
【図３】
0003601502.tif 000004
【図４】
0003601502.tif 000005
【図５】
0003601502.tif 000006